(57)【要約】【課題】  所望大きさの規格品を確実に製造することができる土木構築物用ユニットを提供する。【解決手段】  複数の自然石２が、外部に対して区画空間６を区画するように並べられ、その区画空間６内に複数のアンカー３とコンクリートベース４とが配設されている。各アンカー３は、対向配置関係にある一対の自然石２を連結し、コンクリートベースは、区画空間６内において、複数のアンカーを埋め込んでいる。これにより、製造時のコンクリート注入時に、各自然石２を動かすために、それに連結された自然石２も同じ方向に一緒に動かす力が必要になるようにして、各自然石２が動く可能性を格段に低める。【選択図】        図３
2008280691.tif 000002
【特許請求の範囲】
【請求項１】
複数の塊状部材が、外部に対して区画空間を区画するように並べられ、
前記区画空間内に複数の連結筋とコンクリート基盤とが配設され、
前記各連結筋は、その一端部が前記塊状部材に連結されていると共に、該連結筋の他端部が、該一端部が連結される塊状部材以外の他の塊状部材に連結され、
前記コンクリート基盤は、前記区画空間全体に行き渡るように設けられてその内部に前記複数の連結筋を埋め込んでいる、
ことを特徴とする土木構築物用ユニット。
【請求項２】
請求項１において、
前記各連結筋が、対向配置関係にある塊状部材同士を連結している、
ことを特徴とする土木構築物用ユニット。
【請求項３】
請求項１において、
前記各連結筋が、隣り合う塊状部材同士を連結している、
ことを特徴とする土木構築物用ユニット。
【請求項４】
請求項１において、
前記コンクリート基盤の上面に上側塊状部材が配置され、
前記コンクリート基盤の下面に下側塊状部材が当接した状態で配置され、
前記上側塊状部材及び前記下側塊状部材がコンクリート基盤に連結筋を介してそれぞれ連結されている、
ことを特徴とする土木構築物用ユニット。
【発明の詳細な説明】
【技術分野】
【０００１】
本発明は、土木構築物用ユニットに関する。
【背景技術】
【０００２】
土木構築物としての護岸には、多数の土木構築物用ユニットを施工面に敷設したもの、複数の土木構築物用ユニットを階段状に積み上げたもの等がある。この土木構築物用ユニットには、例えば特許文献１に示すように、複数の塊状部材を、外部に対して区画空間を区画するように並べ、その区画空間内に、該区画空間全体に行き渡るようにしてコンクリート基盤を配置し、その各塊状部材にアンカーを、その一端部をもって連結すると共に、該各アンカーの一端部よりも他端側をコンクリート基盤内に埋め込んだものが提案されている。このものによれば、複数の塊状部材とコンクリート基盤とにより重量安定性を確保できると共に、そのコンクリート基盤を囲む複数の塊状部材の不規則な形状に基づき周囲の自然環境に調和させることができることになる。その一方、重量安定性を確保するための部品としてコンクリート基盤を用いることから、籠等の収容容器を省くことができることになり、部品点数の低減を図ることができる。
【特許文献１】特許第３７３７５０９号
【発明の開示】
【発明が解決しようとする課題】
【０００３】
しかし、上記土木構築物用ユニットにおいては、各アンカーの一端部よりも他端側をコンクリート基盤内に埋め込む構成であり、製造段階において、各アンカーは、コンクリート基盤になる前の未硬化コンクリートには係合することはできず、区画空間を区画する塊状部材が比較的小さいときには、コンクリートの注入に伴い、その各塊状部材は、そのコンクリートの注入、充填圧力に基づき動かされるおそれがある。このため、所望大きさの規格品を確実に製造するためには、製造段階において、塊状部材の動きをストッパ等により規制して、並べられた複数の塊状部材の状態を維持する作業が必要となる場合がある。
【０００４】
本発明は、このような事情に鑑みてなされたもので、その技術的課題は、所望大きさの規格品を確実に製造することができる土木構築物用ユニットを提供することにある。
【課題を解決するための手段】
【０００５】
上記技術的課題を達成するために本発明（請求項１に係る発明）にあっては、
複数の塊状部材が、外部に対して区画空間を区画するように並べられ、
前記区画空間内に複数の連結筋とコンクリート基盤とが配設され、
前記各連結筋は、その一端部が前記塊状部材に連結されていると共に、該連結筋の他端部が、該一端部が連結される塊状部材以外の他の塊状部材に連結され、
前記コンクリート基盤は、前記区画空間全体に行き渡るように設けられてその内部に前記複数の連結筋を埋め込んでいる、
ことを特徴とする土木構築物用ユニットとした構成としてある。
上述の構成により、各塊状部材が、連結筋を介して、その塊状部材以外の他の塊状部材に連結されていることから、各塊状部材が動くためには、他の塊状部材を同じ方向に一緒に動かす力が必要となり、コンクリートの注入に際して、何等特別の作業をしなくても、各塊状部材が動く可能性を格段に低めることができる。
また、当該土木構築物用ユニットにおいては、各塊状部材に脱落させようとする力が作用しても、コンクリート基盤と連結筋との係合の他に、その塊状部材に連結筋を介して連結される他の塊状部材がコンクリート基盤の側壁に当接してストッパとなり、各塊状部材が脱落することが、より確実に防止される。
【０００６】
請求項１の好ましい態様として、前記各連結筋が、対向配置関係にある塊状部材同士を連結している構成を採ることができる（請求項２対応）。この構成により、連結筋として汎用の直線材を利用できるばかりか、各連結筋がコンクリート基盤内部において交差した状態で配置され、コンクリート基盤の強度を高めることができる。
【０００７】
請求項１の好ましい態様として、前記各連結筋が、隣り合う塊状部材同士を連結している構成を採ることができる（請求項３対応）。この構成により、複数の連結筋の具体的態様を提供できる。
【０００８】
請求項１の好ましい態様として、前記コンクリート基盤の上面に上側塊状部材が配置され、前記コンクリート基盤の下面に下側塊状部材が当接した状態で配置され、前記上側塊状部材及び前記下側塊状部材がコンクリート基盤に連結筋を介してそれぞれ連結されている構成を採ることができる（請求項4対応）。この構成により、塊状部材をもって周囲を囲む形状に、塊状部材をさらに上下に配置する形状を、請求項１に係る土木構築物用ユニットを利用して簡単に製造できる。
【発明の効果】
【０００９】
本発明（請求項１に係る発明）によれば、所望大きさの規格品を確実に製造できると共に塊状部材の脱落を確実に防止できる土木構築物用ユニットを提供できる。
【発明を実施するための最良の形態】
【００１０】
以下、本発明の実施の形態について図面を参照して詳細に説明する。
図１〜図３は第１実施形態を示す。この図１〜図３において、符号１は第１実施形態に係る土木構築物用ユニットを示すもので、この土木構築物用ユニット１は、施工面に多数敷設されて、護岸、護床、根固機能等を発揮するものである。
【００１１】
前記各土木構築物用ユニット１は、複数の自然石２（塊状部材）と、複数のアンカー３（連結筋）と、コンクリートベース４（コンクリート基盤）とを備えている。複数の自然石２は、隣り合う自然石２との間に若干の隙間５をあけつつ、外部に対して区画空間６を形成している。この複数の自然石２として、本実施形態においては４つ用いられ、その各自然石２には他の自然石２がそれぞれ対向配置されて、２組の対向配置関係が成立されている。この各組における各自然石２の対向面には、一対の取付け孔７がそれぞれ形成されており、その各組における一対の取付け孔７は区画空間６内に臨んでいる。自然石２としては、割石、玉石等の石が用いられ、その重さは、当該土木構築物用ユニット１が４トンタイプである場合において、２５０ｋｇ前後の重さとされている。
【００１２】
前記複数のアンカー３は、図３に示すように、前記区画空間６内に配設されている。この各アンカー３としては、直線材が用いられており、その各アンカー３の一端部は、各組における一方の自然石２の各取付け孔７に接着剤と共に挿入されて、一方の自然石２に一体化されている。その一方、各アンカー３の他端部は、対向配置関係にある他方の自然石２の取付け孔７に接着剤と共に挿入されて一体化されている。これにより、各組のアンカー３は、図３に示すように、区画空間６の略中央部において交差することになっている。
【００１３】
前記コンクリートベース４は、図１〜図３に示すように、前記区画空間６内に収納されている。このコンクリートベース４は、コンクリート（未硬化状態）を区画空間６内に充填した後、硬化させることにより形成されており、コンクリートベース４の外周縁部は、各自然石２表面の凹部等に入り込んで接着、係合しているばかりでなく、隣り合う自然石２間の隙間５にも進入している。このコンクリートベース４の内部には、前記複数のアンカー３が埋設されており、その各アンカー３とコンクリートベース４とは係合することになっている。
【００１４】
このような土木構築物用ユニット１の製造においては、各組の自然石２が予めアンカー３の両端部に連結されたものが用いられる。この両端部に自然石２を連結するアンカー３が、作業面上に交差させた状態で配置され、作業面上にその４つの自然石２が区画空間６を区画するように配置される。このとき、隣り合う自然石２間に隙間５が形成されるが、その各隙間５には、間詰石、繊維状のシート、弾性体、生分解プラスチック等（図示略）が単独又は複合的に詰め材として詰められ、その各隙間５は塞がれる。
【００１５】
この後、前記区画空間６内に、コンクリートベース４を形成するためのコンクリートが充填（注入）され、そのコンクリート内に前記複数のアンカー３が埋設される。このコンクリートの硬化により、前記第１実施形態に係る土木構築物用ユニット１が得られる。
【００１６】
したがって、本実施形態においては、製造時に、アンカー３の両端部に自然石２が連結されているものを用いることができることから、複数の自然石２が区画する区画空間６内にコンクリートが注入されても、その各自然石２が動くためには、アンカー３を介して連結されるもう一方の自然石２を一緒に動かす力が必要となり、コンクリートの注入に際して、何等特別の作業をしなくても、各自然石２が動く可能性を格段に低めることができる。特に本実施形態においては、アンカー３が直線材であることから、一方の自然石２にコンクリート注入に基づく力が作用したときには、これに伴い、他方の自然石２に、その一方の自然石２とは反対方向に力（反作用）が作用することになり、コンクリート注入に際して、各自然石２が動くことを、一層、確実に防止できる。これにより、所定大きさの規格品を確実に製造できる。しかもこの場合、アンカー３の両端部に連結すべき自然石２として、１個では自立できない偏平な自然石２を用いたとしても、それをアンカー３の両端部に連結することにより、それらを起立させることができることになり、いままで利用できなかった偏平な自然石２をも利用できることになる。これにより、使用できる自然石２の対象を拡げることができる。
【００１７】
また、土木構築物用ユニット１においては、各自然石２に脱落させようとする力が作用しても、コンクリートベース４とアンカー３との係合の他に、その自然石２を連結するアンカー３に連結される他方の自然石２がコンクリートベース４の側壁に当接してストッパとなり、その自然石２が脱落することを確実に防止できる。
しかも、各アンカー３は、コンクリートベース４内部において交差した状態で配置されており、コンクリートベース４の強度を高めることもできる。
【００１８】
図４は第２実施形態、図５は第３実施形態、図６，図７は第４実施形態、図８，図９は第５実施形態、図１０は第６実施形態、図１１〜図１５は第７実施形態、図１６，図１７は第８実施形態、図１８は第９実施形態、図１９は第１０実施形態、図２０は第１１実施形態を示す。この各実施形態において、前記第１実施形態と同一構成要素については同一符号を付してその説明を省略する。
【００１９】
図４に示す第２実施形態は第１実施形態の変形例を示す。この第２実施形態においては、製造段階において、対向配置されるべき２個の自然石２を長ボルトに取付けられたものが２組用いられる。この各組のものは、２個の自然石２に貫通孔８がそれぞれ形成され、その２個の自然石２の貫通孔８に長ボルト９が挿通され、その挿通後、長ボルト９の先端部にナット１０が螺合される。このような２組の自然石２を取付けた長ボルト９は、各長ボルト９毎に自然石２を離間した状態をもって交差させるように配置され、その２組の自然石２が区画する区画空間６内にコンクリートが充填される。このコンクリートの硬化を待って、４つの自然石２が区画する区画空間６内にコンクリートベース４が形成され、第２実施形態に係る土木構築物用ユニット１が得られる。
【００２０】
図５に示す第３実施形態は第１実施形態の変形例を示す。この第３実施形態においては、区画空間６を区画する隣り合う自然石２同士が、アンカー３を介してそれぞれ連結されている。これにより、区画空間６を区画する全ての自然石２は、一体化することになっており、その区画空間６内にコンクリートベース４が設けられることになっている。
【００２１】
図６，図７に示す第４実施形態は第１実施形態の変形例を示す。この第４実施形態においては、各自然石２の取付け孔７にナット（例えばメタルヒットアンカー）３０が取付けられ、その各ナット３０に連結リング部３１を備えるボルト（いわゆるアイボルト）３２がねじ込まれている。このような自然石２は、図６に示すように、区画空間６を形成するように所定位置に配置され、その各対向配置関係にある自然石２の連結リング部３１同士は、図７に示すようにチェーン３３をもってそれぞれ連結される。この際、各チェーン３３は緊張状態とされ、隣り合う自然石２間の隙間には間詰石等が詰められる。その上で、区画空間６内にコンクリート(図示略）が充填され、コンクリートベース(図示略）が形成される。これにより、前記第１実施形態と同様の土木構築物用ユニット１が得られる。尚、チェーン３３に換えて、ワイヤを用いてもよい。
【００２２】
図８，図９に示す第５実施形態に係る土木構築物用ユニット１は、第１実施形態に係る土木構築物用ユニットの変形例を示すもので、この第５実施形態に係る土木構築物用ユニット１は、施工面に乱積みして護岸、護床機能等を発揮するものである。この土木構築物用ユニット１は、４個の自然石２ａがコンクリートベース（図示略）の周囲を囲むように配置され、そのコンクリートベースの上側には上側自然石２ｂ、そのコンクリートベースの下側には下側自然石２ｃが配置されたものとなっている。勿論、この第４実施形態に係る土木構築物用ユニット１における各自然石２は、アンカー３によりコンクリートベースに一体化されている。具体的には、前記第１実施形態に係る土木構築物用ユニットにおけるコンクリートベース４の上面に上側自然石２ｂが配置され、そのコンクリートベース４の下面に当接するようにして下側自然石２ｃが配置されたものとなっている。この場合、上側自然石２ｂ、下側自然石２ｃには、アンカー３の一端部がそれぞれ取付けられており、その各アンカー３の一端部よりも他端側は、コンクリートベース４内に進入され、これらは、他の自然石２ａ同様、コンクリートベース４に一体化されている。
【００２３】
このような土木構築物用ユニット１の製造に際しては、作業台１１が用いられる。作業台１１には、下側自然石２ｃを収納するための凹所１２が形成されており、製造に際して、先ず、この凹所１２内に下側自然石２ｃが収納される。このとき、下側自然石２ｃには、アンカー３の一端部が取付けられ、その他端部は、上方に向けて突出される。
【００２４】
次に、両端部に自然石２（２ａ）を取付けたアンカー（前記第１実施形態で用いたもの）を２組用意し、その２組のアンカー３を交差させた状態にしつつ、その各組の自然石２（２ａ）を下側自然石（作業台の凹所）周辺部に配置し、その４つの自然石２（２ａ）により区画空間６を形成する。
【００２５】
次に、上記４つの自然石２ａが形成する区画空間６内にコンクリートが充填され、その充填後、そのコンクリートが未硬化であるうちに、上側自然石２ｂが４つの自然石２ａの上に配置される。このとき、上側自然石２ｂには予めアンカー３の一端部が取付けられており、そのアンカー３の一端部よりも他端側が未硬化のコンクリート内に進入される。このとき勿論、上記４つの自然石２ａの隣り合う隙間に間詰石等が詰められ、その各隙間は塞がれる。これにより、コンクリートの硬化後、第５実施形態に係る土木構築物用ユニット１が得られる。
【００２６】
図１０に示す第６実施形態は、前記第５実施形態の変形例を示す。この第６実施形態においては、盛土により作業台１１が形成（成形）されており、その盛土により形成された作業台１１には、作業面１３、下側自然石２ｃを収納する凹所１２が形成されている。この盛土により形成された作業台１１によっても、前記第５実施形態同様の土木構築物用ユニット１を製造することができるが、本実施形態においては、下側自然石２ｃの下側に盛土を敷くことにより下側自然石２ｃの安定性が高められている。
【００２７】
図１１〜図１５に示す第７実施形態は、土木構築物用ユニットを階段状に積み上げる護岸、擁壁等の構築を、これまで以上に簡単化したものを示している。この第７実施形態に係る土木構築物用ユニット１は、一定厚みのコンクリートベース１４を有しており、そのコンクリートベース１４の前面には複数の自然石２Ａが、コンクリートベース１４の上面よりも上方に突出するようにして設けられ、コンクリートベース１４の前面以外の周面には、コンクリートベース１４の厚みと同程度の大きさの自然石２Ｂが、コンクリートベース１４の上面と略同じ高さを維持しつつ設けられている。勿論、この各自然石２Ａ，２Ｂとコンクリートベース１４とはアンカー(図示略）を介して連結されている。
【００２８】
この第７実施形態に係る土木構築物用ユニット１を用いることにより、図１５に示すように、コンクリートベース１４の平坦な上面を利用して、安定した状態で階段状に積み上げることができると共に、その各土木構築物用ユニット１の下側の土木構築物用ユニット１の自然石２をストッパとして利用でき、各土木構築物用ユニット１が前側に移動することを規制できる。尚、図１５中、符号１５は裏込め材料を示す。
【００２９】
図１６，図１７に示す第８実施形態は、前記第７実施形態の変形例を示す。この第８実施形態においては、第７実施形態に係る土木構築物用ユニット１の前面以外の周壁から自然石２Ｂを除いた構成のものが示されている。この第８実施形態に係る土木構築物用ユニット１の製造においては、型１６が用いられる。この型１６は、一対の側壁部１７と、その一対の側壁部の後部端部（フランジ）にボルト１９により着脱可能に連結される背壁部１８とを備えており、型１６の前部は、開放されている。このような型１６は、土木構築物用ユニット１の製造に際して、水平な作業面１３上に載置された上で、その型１６の前部にその開口を塞ぐように複数の自然石２Ａが配置される。この各自然石２Ａには予めアンカー３の一端部が連結されており、そのアンカー３の一端部よりも他端側は型１６内に収まるように配置される。次に、コンクリートベース４を形成すべく、型１６内にコンクリートが充填され、そのコンクリート内に各アンカー３が埋設される。この後、コンクリートが硬化すると、型１６が外され、第８実施形態に係る土木構築物用ユニット１が得られる。
【００３０】
図１８に示す第９実施形態は、複数の壁体ユニット２０を用いて土木構築物用ユニット１を形成したものを示している。各壁体ユニット２０は、アンカー３を備えた４個の自然石２を一体化することにより形成されており、その各壁体ユニット２０は、具体的には、各自然石２に貫通孔が形成され、その各貫通孔に長ボルト２１を挿通させる等して、４個の自然石２が一体化される。このような複数の壁体ユニット２０を用いて、区画空間６を形成すべく周壁２２が形成され、その周壁２２が形成する区画空間４内にコンクリートが充填され、そのコンクリート内に各壁体ユニット２０の各アンカー３が埋め込まれる。この後、コンクリートが硬化することによりコンクリートベース４が形成される。これにより、土木構築物用ユニット１の製造に際して、複数の壁体ユニット２０を型としても利用できることになり、特別に型を準備する必要がなくなる。
【００３１】
図１９に示す第１０実施形態は、前記第９実施形態の変形例を示す。この第１０実施形態においては、壁体ユニット２０は、網状片（金網）２３の一面に複数の自然石２が取付けられ、その各自然石２或いは網状片２３から背面側に向けて複数のアンカー３が突出されている。この複数の壁体ユニット２０を用いて箱状に周壁２２が形成され（隣り合う網状片２３同士を連結することにより形成）、その周壁２２が形成する区画空間６内にコンクリートが充填される。このコンクリート内に各アンカー３が埋設され、そのコンクリートの硬化により、コンクリートベースと各壁体ユニット２０とが一体化した土木構築物用ユニット１が形成される。
【００３２】
図２０に示す第１１実施形態は、前記第１０実施形態の変形例を示す。この第１１実施形態においては、各壁体ユニット２０として、コンクリート板２４の一面側に複数の自然石２を設け、そのコンクリート板２４の他面側から複数のアンカー３を突出させたものが用いられている。この場合、各アンカー３は、コンクリート板２４自体に取付けられたものでも、或いは各自然石２に取付けられたものであってもよい。この複数の壁体ユニット２０を用いて、前記第１０実施形態同様、箱状の周壁２２を形成（連結）し、その周壁２２内にコンクリートを充填することにより、第１１実施形態に係る土木構築物用ユニット１が得られる。
【００３３】
以上実施形態について説明したが本発明にあっては、次のような態様を包含する。
（１）区画空間６を区画する複数の自然石２の数を３以上の種々の数とすること。
（２）塊状部材として、自然石２の他に、擬石、ブロック等を用いること。
（３）各実施形態に係る土木構築物用ユニット１を、河川、湖等の護岸、根固め構造物、消波構造物等として適宜、用いること。
（４）自然石２に連結筋を連結するに際して、接着剤だけでなく、打ち込み式アンカーを用いて連結してもよいこと。
【図面の簡単な説明】
【００３４】
【図１】第１実施形態に係る土木構築物用ユニットを示す平面図。
【図２】図１の正面図。
【図３】第１実施形態に係る土木構築物用ユニットを示す横断面図。
【図４】第２実施形態に係る土木構築物用ユニットを示す横断面図。
【図５】第３実施形態に係る土木構築物用ユニットを示す横断面図。
【図６】第４実施形態に係る土木構築物用ユニットの製造工程を説明する説明図。
【図７】図６の続きの工程を示す説明図。
【図８】第５実施形態に係る土木構築物用ユニットを示す斜視図。
【図９】第５実施形態に係る土木構築物用ユニットの製造方法を説明する説明図。
【図１０】第６実施形態に係る土木構築物用ユニットの製造方法を説明する説明図。
【図１１】第７実施形態に係る土木構築物用ユニットを示す斜視図。
【図１２】第７実施形態に係る土木構築物用ユニットを示す平面図。
【図１３】図１２の左側面図。
【図１４】図１２の正面図。
【図１５】第７実施形態に係る土木構築物用ユニットを用いて構築された土木構築物を示す図。
【図１６】第８実施形態に係る土木構築物用ユニットを示す斜視図。
【図１７】第８実施形態に係る土木構築物用ユニットの製造方法を説明する説明図。
【図１８】第９実施形態に係る土木構築物用ユニットの製造を説明する説明図。
【図１９】第１０実施形態に係る土木構築物用ユニットの製造を説明する説明図。
【図２０】第１１実施形態に係る土木構築物用ユニットの製造を説明する説明図。
【符号の説明】
【００３５】
１  土木構築物用ユニット
２  自然石（塊状部材）
３  アンカー（連結筋）
４  コンクリートベース（コンクリート基盤）
６  区画空間
７  長ボルト（アンカー）
【図１】
2008280691.tif 000003
【図２】
2008280691.tif 000004
【図３】
2008280691.tif 000005
【図４】
2008280691.tif 000006
【図５】
2008280691.tif 000007
【図６】
2008280691.tif 000008
【図７】
2008280691.tif 000009
【図８】
2008280691.tif 000010
【図９】
2008280691.tif 000011
【図１０】
2008280691.tif 000012
【図１１】
2008280691.tif 000013
【図１２】
2008280691.tif 000014
【図１３】
2008280691.tif 000015
【図１４】
2008280691.tif 000016
【図１５】
2008280691.tif 000017
【図１６】
2008280691.tif 000018
【図１７】
2008280691.tif 000019
【図１８】
2008280691.tif 000020
【図１９】
2008280691.tif 000021
【図２０】
2008280691.tif 000022